(57)【要約】      （修正有）【課題】航空機のような環境において通信装置の位置確認及び／又は論理的アドレス指定を行うシステムを提供する。【解決手段】第１のネットワークデバイスは物理的位置を第２のネットワークデバイスに通信するように構成されており、第２のネットワークデバイスは、第１のネットワークデバイスの物理的位置、及び第１のネットワークデバイスと第２のネットワークデバイスとの既知の空間関係に基づいて、第２のネットワークデバイスの物理的位置を少なくとも部分的に導出するように構成されている。第２のネットワークデバイスは、さらに、導出された第２のネットワークデバイスの物理的位置を使用して、第２のネットワークサブシステムにおけるその論理アドレスの割り当てを受け取るように構成される。【選択図】図４
2014132752.tif 000002
【特許請求の範囲】
【請求項１】
第１のネットワークサブシステム（１０２ａ）内部でのその物理的位置と割り当てられた論理アドレスとが判明している第１のネットワークデバイス（１０４ａ）を含む第１のネットワークサブシステム（１０２ａ）、及び
最初は第２のネットワークサブシステム（１０２ｂ）内部でのその物理的位置と割り当てられた論理アドレスとが判明していない第２のネットワークデバイス（１０４ｂ）を含む第２のネットワークサブシステム（１０２ｂ）であって、第２のネットワークデバイス（１０４ｂ）が第１のネットワークデバイス（１０４ａ）と既知の空間関係を有する、第２のネットワークサブシステム（１０２ｂ）
を備えるシステムにおいて、
第１のネットワークデバイス（１０４ａ）は、その物理的位置を第２のネットワークデバイス（１０４ｂ）に通信するように構成されており、
第２のネットワークデバイス（１０４ｂ）は、第１のネットワークデバイス（１０４ａ）の物理的位置、及び第１のネットワークデバイス（１０４ａ）と第２のネットワークデバイス（１０４ｂ）との既知の空間関係に基づいて、その物理的位置を少なくとも部分的に導出するように構成されており、第２のネットワークデバイス（１０４ｂ）は、さらに、導出されたその物理的位置を使用して、第２のネットワークサブシステム（１０２ｂ）内部でのその論理アドレスの割り当てを受け取るように構成されている、
システム。
【請求項２】
第１のネットワークデバイス（１０４ａ）は、第１のネットワークデバイス（１０４ａ）と第２のネットワークデバイス（１０４ｂ）との二地点間接続を介してその物理的位置を通信するように構成されている、請求項１に記載のシステム。
【請求項３】
第２のネットワークサブシステム（１０２ｂ）は、第２のネットワークサブシステム（１０２ｂ）のネットワークデバイスの物理的位置を含むポールリクエストを通信するように構成されたヘッドエンド（１０６ｂ）をさらに含み、
第２のネットワークデバイス（１０４ｂ）は、前記ポールリクエスト内の物理的位置が、導出されたその物理的位置と一致する場合に、前記ポールリクエストに応答するように構成されており、それにより、第２のネットワークデバイス（１０４ｂ）に第２のネットワークサブシステム（１０２ｂ）内部でのその論理アドレスが割り当てられる、
請求項１に記載のシステム。
【請求項４】
最初は第３のネットワークサブシステム（１０２ｃ）内部でのその物理的位置と割り当てられた論理アドレスとが判明していない第３のネットワークデバイス（１０４ｃ）を含む第３のネットワークサブシステム（１０２ｃ）であって、第３のネットワークデバイスが第１のネットワークデバイス（１０４ａ）及び第２のネットワークデバイス（１０４ｂ）の一方又は両方と既知の空間関係を有する、第３のネットワークサブシステム（１０２ｃ）をさらに備え、
第１のネットワークデバイス（１０４ａ）又は第２のネットワークデバイス（１０４ｂ）は、その物理的位置を第３のネットワークデバイス（１０４ｃ）に通信するように構成されており、  
第３のネットワークデバイス（１０４ｃ）は、第１のネットワークデバイス（１０４ａ）又は第２のネットワークデバイス（１０４ｂ）の物理的位置、並びに第１のネットワークデバイス（１０４ａ）又は第２のネットワークデバイス（１０４ｂ）と第３のネットワークデバイス（１０４ｃ）との既知の空間関係に基づいて、その物理的位置を少なくとも部分的に導出するように構成されており、
第３のネットワークデバイス（１０４ｃ）は、さらに、導出されたその物理的位置を使用して、第３のネットワークサブシステム（１０２ｃ）内部でのその論理アドレスの割り当てを受け取るように構成されている、
請求項１に記載のシステム。
【請求項５】
いずれのネットワークサブシステムにも含まれない遠隔装置であって、最初はその物理的位置が判明しておらず、第１のネットワークデバイス（１０４ａ）及び第２のネットワークデバイス（１０４ｂ）の一方又は両方と既知の空間関係を有する遠隔装置をさらに備え、
第１のネットワークデバイス（１０４ａ）又は第２のネットワークデバイス（１０４ｂ）は、その物理的位置を前記遠隔装置に通信するように構成されており、
前記遠隔装置は、第１のネットワークデバイス（１０４ａ）又は第２のネットワークデバイス（１０４ｂ）の物理的位置、並びに第１のネットワークデバイス（１０４ａ）又は第２のネットワークデバイス（１０４ｂ）と前記遠隔装置との既知の空間関係に基づいて、その物理的位置を少なくとも部分的に導出して格納するように構成されている、
請求項１に記載のシステム。
【請求項６】
第１のネットワークサブシステム（１０２ａ）及び第２のネットワークサブシステム（１０２ｂ）を備えるシステム内部での通信方法であって、第１のネットワークサブシステム（１０２ａ）は、第１のネットワークサブシステム（１０２ａ）内部での物理的位置と割り当てられた論理アドレスとが判明している第１のネットワークデバイス（１０４ａ）を含み、第２のネットワークサブシステム（１０２ｂ）は、第２のネットワークサブシステム（１０２ｂ）内部での物理的位置と割り当てられた論理アドレスとが最初は判明していない第２のネットワークデバイス（１０４ｂ）を含み、第２のネットワークデバイス（１０４ｂ）は第１のネットワークデバイス（１０４ａ）と既知の空間関係を有している方法において、
第１のネットワークデバイス（１０４ａ）がその物理的位置を第２のネットワークデバイス（１０４ｂ）に通信することと、
第２のネットワークデバイス（１０４ｂ）が、第１のネットワークデバイス（１０４ａ）の物理的位置、及び第１のネットワークデバイス（１０４ａ）と第２のネットワークデバイス（１０４ｂ）との既知の空間関係に基づいてその物理的位置を少なくとも部分的に導出することと、
第２のネットワークデバイス（１０４ｂ）が、導出されたその物理的位置を使用して、第２のネットワークサブシステム（１０２ｂ）内部でのその論理アドレスの割り当てを受け取ることと
を含む方法。
【請求項７】
第１のネットワークデバイス（１０４ａ）は、第１のネットワークデバイス（１０４ａ）と第２のネットワークデバイス（１０４ｂ）との二地点間接続を介してその物理的位置を通信する、請求項６に記載の方法。
【請求項８】
第２のネットワークサブシステム（１０２ｂ）はヘッドエンド（１０６ｂ）をさらに含み、方法は、
ヘッドエンド（１０６ｂ）が、第２のネットワークサブシステム（１０２ｂ）のネットワークデバイスの物理的位置を含むポールリクエストを通信することと、
前記ポールリクエスト内の物理的位置が、導出されたその物理的位置と一致する場合に、第２のネットワークデバイス（１０４ｂ）が前記ポールリクエストに応答し、それにより第２のネットワークデバイス（１０４ｂ）に第２のネットワークサブシステム（１０２ｂ）内部での論理アドレスが割り当てられることと
をさらに含む、請求項６に記載の方法。
【請求項９】
前記システムは第３のネットワークサブシステム（１０２ｃ）をさらに備え、第３のネットワークサブシステム（１０２ｃ）は、第３のネットワークサブシステム（１０２ｃ）内部での物理的位置と割り当てられた論理アドレスとが最初は判明していない第３のネットワークデバイス（１０４ｃ）を含み、第３のネットワークデバイス（１０４ｃ）は第１のネットワークデバイス（１０４ａ）及び第２のネットワークデバイス（１０４ｂ）の一方又は両方と既知の空間関係を有しており、方法がさらに、
第１のネットワークデバイス（１０４ａ）又は第２のネットワークデバイス（１０４ｂ）がその物理的位置を第３のネットワークデバイス（１０４ｃ）に通信することと、
第３のネットワークデバイス（１０４ｃ）が、第１のネットワークデバイス（１０４ａ）又は第２のネットワークデバイス（１０４ｂ）の物理的位置、並びに、第１のネットワークデバイス（１０４ａ）又は第２のネットワークデバイス（１０４ｂ）と第３のネットワークデバイス（１０４ｃ）との既知の空間関係に基づいて、その物理的位置を少なくとも部分的に導出することと、
第３のネットワークデバイス（１０４ｃ）が、導出されたその物理的位置を使用して、第３のネットワークサブシステム（１０２ｃ）内部でのその論理アドレスの割り当てを受け取ることと
を含む、請求項６に記載の方法。
【請求項１０】
前記システムは、いずれのネットワークサブシステムにも含まれない遠隔装置をさらに備え、前記遠隔装置の物理的位置は、最初は判明しておらず、前記遠隔装置は第１のネットワークデバイス（１０４ａ）及び第２のネットワークデバイス（１０４ｂ）の一方又は両方と既知の空間関係を有しており、方法がさらに、
第１のネットワークデバイス（１０４ａ）又は第２のネットワークデバイス（１０４ｂ）が、その物理的位置を前記遠隔装置に通信することと、
前記遠隔装置が、第１のネットワークデバイス（１０４ａ）又は第２のネットワークデバイス（１０４ｂ）の物理的位置、並びに第１のネットワークデバイス（１０４ａ）又は第２のネットワークデバイス（１０４ｂ）と前記遠隔装置との既知の空間関係に基づいて、その物理的位置を少なくとも部分的に導出して格納することと
を含む、請求項６に記載の方法。
【発明の詳細な説明】
【技術分野】
【０００１】
本発明は、概して通信装置に関し、具体的には航空機のような環境における通信装置の位置確認及び／又は論理的アドレス指定に関する。
【背景技術】
【０００２】
輸送業界において利用されているマルチメディアエンタテイメント、通信及び診断システムといったシステムが複雑になるにつれて、互いに通信するため、又はもっと中央に近いヘッドエンドと通信するためのデバイスを追加する必要が生じている。歴史的に、このようなシステムは、それらの通信をサポートするために、種々のデバイス間に延びる専用の配線を含んでいた。システムの統合が進み、通信要件が増大するにつれて、専用配線の必要量が、配線に必要な空間及び配線とそれに付随する設備の両面で急速に巨大化した。
【０００３】
ネットワークデバイス及び／又はヘッドエンド間の共通の通信経路を提供するために、多数のネットワークシステムが開発された。輸送の分野では、例えば、ビークル全体に位置するネットワークデバイス群を含むネットワークシステムを使用して、乗客の利益と利便性のためにサービスが提供される。しかしながら、このようなネットワークデバイス及び他の通信装置の多くが効果的に通信するためには、それらの物理的な位置及び／又は割り当てられた論理アドレス（例えば、ＩＰアドレス）が分かっている必要がある。航空機では、例えば、読書灯ボタンが押されるとき、適切なネットワークシステムは、どの灯りを起動するべきかを知らなければならず、すなわち、航空機内における灯りの物理的位置を知らなければならない。
【０００４】
したがって、上述した問題の少なくとも一部と、起こりうる他の問題とを考慮する装置と方法を有することが望ましい。
【発明の概要】
【０００５】
本発明の例示的実装態様は、一般に、改良されたシステム、通信装置、及び方法を対象としている。例示的実装態様の一態様によれば、第１のネットワークサブシステム及び第２のネットワークサブシステムを含むシステムが提供される。第１のネットワークサブシステムは、第１のネットワークサブシステム内部での物理的位置及び割り当てられた論理アドレスの判明している第１のネットワークデバイスを含む。第２のネットワークサブシステムは、第２のネットワークサブシステム内部での物理的位置及び割り当てられた論理アドレスの判明していない第２のネットワークデバイスを含む。第２のネットワークデバイスは、第１のネットワークデバイスと既知の空間関係を有する。
【０００６】
第１のネットワークデバイスは、その物理的位置を、例えば第１のネットワークデバイスと第２のネットワークデバイスとの間の二地点間接続を介して、第２のネットワークデバイスに通信するように構成される。第２のネットワークデバイスは、第１のネットワークデバイスの物理的位置、及び第１のネットワークデバイスと第２のネットワークデバイスとの既知の空間関係に基づいて、その物理的位置を少なくとも部分的に導出するように構成される。第２のネットワークデバイスは、さらに、導出されたその物理的位置を使用して、第２のネットワークサブシステム内部でのその論理アドレスの割り当てを受け取るように構成される。
【０００７】
一実施例では、第２のネットワークサブシステムは、第２のネットワークサブシステムのネットワークデバイスの物理的位置を含むポールリクエストを通信するように構成されたヘッドエンドをさらに含む。この実施例では、第２のネットワークデバイスは、ポールリクエスト内の物理的位置が、導出されたその物理的位置と一致する場合に、ポールリクエストに応答するように構成される。これにより、第２のネットワークデバイスには、第２のネットワーク内部での論理アドレスが割り当てられる。
【０００８】
一実施例では、システムは第３のネットワークサブシステムをさらに含み、第３のネットワークサブシステムは、最初は第３のネットワークサブシステム内での物理的位置及び割り当てられた論理アドレスが判明していない第３のネットワークデバイスを含む。この実施例では、第３のネットワークデバイスは、第１のネットワークデバイス及び第２のネットワークデバイスの一方又は両方と既知の空間関係を有する。この実施例でも、第１のネットワークデバイス又は第２のネットワークデバイスは、その物理的位置を第３のネットワークデバイスに通信するように構成される。第３のネットワークデバイスは、第１のネットワークデバイス又は第２のネットワークデバイスの物理的位置、並びに第１のネットワークデバイス又は第２のネットワークデバイスと第３のネットワークデバイスとの既知の空間関係に基づいて、その物理的位置を少なくとも部分的に導出するように構成される。第３のネットワークデバイスは、さらに、導出されたその物理的位置を使用して、第３のネットワークサブシステム内部でのその論理アドレスの割り当てを受け取るように構成される。
【０００９】
一実施例では、システムは、いずれのネットワークサブシステムにも含まれない遠隔デバイスであって、最初はその物理的位置が判明していない遠隔デバイスをさらに含むことができる。この実施例では、遠隔デバイスは、第１のネットワークデバイス及び第２のネットワークデバイスの一方又は両方と既知の空間関係を有する。この実施例でも、第１のネットワークデバイス又は第２のネットワークデバイスは、その物理的位置を遠隔デバイスに通信するように構成される。遠隔デバイスは、第１のネットワークデバイス又は第２のネットワークデバイスの物理的位置、並びに第１のネットワークデバイス又は第２のネットワークデバイスと遠隔デバイスとの既知の空間関係に基づいて、その物理的位置を少なくとも部分的に導出して格納するように構成される。
【００１０】
例示的実装態様の他の態様では、通信装置及び方法が提供される。ここで説明されるフィーチャ、機能及び利点は、本発明の種々の例示的実装態様において単独で実現可能であるか、又はさらに別の例示的実装態様において組み合わせることができる。このような実装態様のさらなる詳細は、後述の説明及び添付図面に見ることができる。
【図面の簡単な説明】
【００１１】
上述では本発明の例示的実装態様を一般的な用語で説明したが、後述では添付図面を参照する。これらの図面は、必ずしも正確な縮尺で描かれていない。
【００１２】
【図１】例示的な一実装態様によるシステムを示している。
【図２】例示的な一実装態様による、航空機の客室の一部を含む航空機におけるシステムを示している。
【図３】別の例示的な一実装態様による、航空機の客室の一部を含む航空機におけるシステムを示している。
【図４】例示的な一実装態様による方法の種々の工程を示すフロー図である。
【図５】例示的な一実装態様による、例示的な航空機の製造及び保守方法のフロー図である。
【図６】例示的な一実装態様による、例示的な航空機のブロック図である。
【発明を実施するための形態】
【００１３】
添付図面を参照して本発明のいくつかの実装態様についてより詳細に説明するが、添付図面には本発明のすべての実装態様が示されているわけではない。実際、本発明の種々の実装態様は、多くの異なる形態で実施可能であり、ここで説明される実装態様に限定されるものと解釈されるべきではなく、本開示が包括的で完全となるように、且つ当業者に本発明の範囲を十分に伝えるために、これらの例示的実装態様が提供される。全体を通して、類似の参照番号は類似の要素を示している。
【００１４】
図１は、本発明の例示的一実装態様によるシステム１００を示している。図示のように、システムは、一又は複数の機能又は操作を実行するための任意の数の異なるサブシステム（各別個のシステム）を含むことができる。図示のように、システムは、ネットワーク通信を採用する任意の数のサブシステム１０２を含むことができ、図にはこのようなネットワークの三つの実施例１０２ａ、１０２ｂ、１０２ｃが示されている（第１、第２、及び第３のネットワークサブシステムとも呼ぶ）。ネットワークサブシステムの各々は任意の数の要素を含むことができ、これらの要素は、本明細書では一般に、対応のコールアウトで呼ばれるか、又は図においてそれらに対応するネットワークサブシステムと同様に、「第１」、「第２」、及び「第３」と呼ばれ、「ａ」、「ｂ」、又は「ｃ」という記号を付した対応のコールアウトにより参照される。システムの一部として示されているが、ネットワークサブシステムの一又は複数は、別の構成として、システムから分離されてシステムと通信していてもよい。ネットワークサブシステムの一又は複数は、ネットワークサブシステムのうちの他のネットワークサブシステムとは関係なく、一の別個のシステムとして機能又は作動可能であることも理解されるべきである。さらに、システムは、図１に示されるサブシステムに対し、一又は複数の付加的な又は代替的なサブシステムを含んでもよい。  
【００１５】
図１には、本発明の例示的実装態様による、システム１００の適切なネットワークサブシステム１０２の要素の例示的ネットワーク構成が示されている。しかしながら、図は、すべての可能なネットワークサブシステムのすべての要素を示しているわけでも、すべての可能なネットワークサブシステムのすべての可能な構成を示しているわけどもないことを理解されたい。図示のように、ネットワークサブシステムの各々は、直接及び／又は、有線及び／又は無線ネットワーク１０８（例えば、バックボーンネットワーク）を介して互いに通信するように構成された、一又は複数のネットワークデバイス１０４、ヘッドエンド１０６といった任意の数の有線及び／又は無線の通信装置を含むことができる。ネットワークは、通常、対応する有線及び／又は無線のインターフェースを介して互いに通信できる種々の異なるノード、デバイス、又は機能の組を含む。例えば、ネットワークは、一又は複数のアクセスポイント１１０を含むことができ、これらのポイントの各々は、一又は複数のネットワークデバイス及び／又はヘッドエンドへのアクセスポイントとして機能できる。この場合、いくつかの実施例では、一又は複数のネットワークデバイス及び／又はヘッドエンドは、互いに及び／又はアクセスポイントと通信するための適切なアンテナを含むことができる。
【００１６】
種々の実施例では、通信装置（例えば、ネットワークデバイス１０４、ヘッドエンド１０６）は、ネットワークサブシステム内部の各通信装置に固有の論理アドレスに従って、通信装置のネットワークサブシステム１０２内部で通信するように構成される。これらの通信装置の少なくともいくつかは、ネットワークサブシステム（群）内部でそれぞれの通信装置に固有の論理アドレスを保有する一又は複数の他のネットワークサブシステム（群）の通信装置と通信するように構成することもできる。いくつかの実施例では、システム１００は、さらに、ネットワークサブシステムの外部にあるが、一又は複数のネットワークサブシステムの通信装置と通信するように構成される一又は複数の遠隔装置１１２といった、他の有線及び／又は無線の通信装置を含むことができる。一実施例では、一のネットワークサブシステムの通信装置は、通信装置同士の有線又は無線の二地点間接続により、別のネットワークサブシステムの通信装置又は遠隔装置と通信するように構成される。
【００１７】
種々の実施例では、ネットワークサブシステム１０２のヘッドエンド１０６は、各ネットワークサブシステムの構成及び制御を行う。これに関して、ヘッドエンドは、それに対応するネットワークサブシステムの構成データについて、適切なストレージ１１４（例えば、ファイルストレージ、データベースストレージ、クラウドストレージ）を含むことができるか、又はそのようなストレージ１１４と通信することができる。構成データには、対応のネットワークサブシステム内部で各通信装置が通信可能となるために、各通信装置（例えば、ネットワークデバイス１０４、ヘッドエンド１０６）に割り当てられた論理アドレスが含まれる。一実施例では、これらの論理アドレスはネットワークサブシステムの最初の構成の間に割り当てられ、このときに通信装置はそれらの論理アドレスを受け取ることができるか、或いは通信装置によっては、ネットワークサブシステムの最初の構成の後で論理アドレスが割り当てられてもよい。    
【００１８】
ネットワークサブシステム１０２のそれぞれについて、ヘッドエンド１０６は、ネットワークサブシステム内部における論理アドレスの割り当てを担い、それらの論理アドレスを割り当てるために、ネットワークデバイス１０４の区別可能ないくつかの側面を使用する。一実施例では、このような区別可能な側面は、ネットワークデバイスのそれぞれの物理的位置である。この実施例では、ストレージ１１４内の構成データには、そのような物理的位置及び割り当てられた論理アドレスと、それらの間のマッピングとが含まれる。ヘッドエンドは、この構成データを使用して、それらの物理的位置に基づき、論理アドレスをネットワークデバイスに割り当てる。いくつかの実施例では、ネットワークサブシステムの一又は複数は、ネットワークデバイスに論理アドレスを割り当てるために他のスキームを使用することができる。他の適切なアドレス指定スキームの例には、シリアル、トークンライン、手動、ハードワイヤ、プリプログラミングなどが含まれる。  
【００１９】
ネットワークデバイス１０４の物理的位置は、それらの環境の座標権を基準として、任意の数の異なる方式のいずれかにより表すことができる。例えば、物理的位置は、二次元（２Ｄ）のデカルト座標系については直交するＸ、Ｙ座標により、又は三次元（３Ｄ）のデカルト座標系については直交するＸ、Ｙ、Ｚ座標により、記述される。別の実施例では、物理的位置は、極座標系の極座標により記述される。
【００２０】
上記及び背景技術において示唆したように、多数のネットワークデバイス１０４及び遠隔装置１１２のような他の通信装置を効果的に通信させるために、それらの物理的位置及び／又は割り当てられた論理アドレス（例えば、ＩＰアドレス）を知る必要がある。しかしながら、いくつかの実施例では、一又は複数のネットワークデバイス及び／又は遠隔装置は、それらに対応する物理的位置（群）及び／又は論理アドレス（群）を認識していない場合がある。したがって、本発明の例示的実装態様は、ネットワークデバイス、遠隔装置などの通信装置の位置確認及び／又は論理的アドレス指定を行うための装置及び方法を提供する。  
【００２１】
例示的実装態様によれば、第１のネットワークサブシステム１０２ａは、その第１のネットワークデバイス１０４ａ群が、それらの第１のヘッドエンド１０６ａ及び適切な第１のストレージ１１４ａにより、それらに対応する物理的位置群及び論理アドレス群を認識（例えば、格納）するような動作を行うように構成できる。このネットワークサブシステムでは、任意の数の異なるスキームのいずれか、例えば上記に特定したスキームのいずれかを使用して、ネットワークデバイスに論理アドレスを割り当てることができる。    
【００２２】
第１のネットワークサブシステム１０２ａとは異なって、第２のネットワークサブシステム１０２ｂはまだ動作するように構成されていない。これに関して、第２のストレージ１１４ｂは、物理的位置群及び割り当てられた論理アドレス群と、それらの間のマッピングとを含む構成データを格納することができる。しかし、第２のネットワークデバイス１０４ｂは、未知の物理的位置を有しうる。自身の物理的位置を認識する第２のネットワークデバイスがないために、第２のヘッドエンド１０６ｂは、それらに割り当てられた論理アドレス群を通信することができない。
【００２３】
第１のネットワークサブシステム１０２ａの第１のネットワークデバイス１０４ａの一又は複数は、第２のネットワークサブシステム１０２ｂの一又は複数の第２のネットワークデバイス１０４ｂと、通信装置同士の有線又は無線の二地点間接続によるなどして通信するように構成される。このようにして、第１のネットワークデバイス（群）は、第２のネットワークデバイス（群）の論理アドレスを必要とすることなく、第２のネットワークデバイス（群）と通信する。第１のネットワークデバイス（群）は、それらに対応する物理的位置（群）を、第１のネットワークデバイス（群）と既知の空間関係を有する第２のネットワークデバイス（群）に通信する。例えば、第１のネットワークデバイスは、第２のネットワークデバイスから既知の距離及び方向にある。これに加えて、又は代えて、例えば、第１のネットワークデバイスは、第２のネットワークデバイスから、一又は複数の既知の直交方向にあって、二つのネットワークデバイスは共通のＸ又はＹ座標（２Ｄ）、又はＸ、Ｙ、及び／又はＺ座標（３Ｄ）を共有しており、適切な座標系の少なくとも一つの座標は、異なる位置にある二つのネットワークデバイスについて異なっている。    
【００２４】
第２のネットワークデバイス（群）１０４ｂは、第１のネットワークデバイス（群）１０４ａの物理的位置（群）、及び第１のネットワークデバイス（群）と第２のネットワークデバイス（群）との既知の空間関係に基づいて、それらに対応する物理的位置（群）を少なくとも部分的に導出して格納するように構成される。一実施例では、第２のネットワークデバイス（群）は、それらの完全な物理的位置（群）を導出するように構成することができる。別の実施例では、第２のネットワークデバイス（群）は、物理的位置（群）の一部であるが、第２のネットワークデバイス（群）を互いに区別するには十分な物理的位置（群）を導出するように構成することができる。２Ｄ／３Ｄの座標系では、例えば、第２のネットワークデバイスがそれぞれの区別可能なＹ座標を有する場合、第２のネットワークデバイス（群）は、Ｘ座標又は（３Ｄの場合）Ｚ座標を併せて導出又は他の方法で認識することなく、それらのＹ座標を導出するように構成される。
【００２５】
第２のネットワークデバイス（群）１０４ｂは、それらに対応する物理的位置（群）を（部分的に又は完全に）導出したら、第２のヘッドエンド１０６ｂからそれらの完全な物理的位置（群）及び論理アドレス群を受け取ることができる。一実施例では、第２のヘッドエンドが、ストレージ１１４ｂ内のそれらの物理的位置（群）を使用して、第２のネットワークデバイスをポールする。第２のネットワークデバイス（群）は、第２のヘッドエンド由来の物理的位置（群）が、導出されたそれらの物理的位置（群）と一致する場合に、第２のヘッドエンドからのポールリクエストに応答する。これにより、第２のヘッドエンドは、第２のネットワークデバイス（群）に、それらに対応する論理アドレス（群）を通信する。第２のネットワークデバイス（群）は、第２のヘッドエンドから受け取ったそれらに対応する論理アドレス（群）（及び場合によってはそれらに対応する物理的位置（群））を記録又は他の方法で格納し、それにより第２のネットワークサブシステム１０２ｂ内部での通信を行うように構成される。
【００２６】
第２のネットワークサブシステム１０２ｂと同様に、第３のネットワークサブシステム１０２ｃは、第１のネットワークサブシステム１０２ａ及び／又は第２のネットワークサブシステム１０２ｂが動作するように構成される時点で、まだ動作するように構成されていない。第３のストレージ１１４ｃは、物理的位置群及び割り当てられた論理アドレス群と、それらの間のマッピングとを含む構成データを格納するが、第３のネットワークデバイス１０４ｃについては、第３のヘッドエンド１０６ｃが第３のネットワークデバイス群にそれらに割り当てられた論理アドレス群を通信することを可能にするための物理的位置が判明していないことがありうる。
【００２７】
この場合、第１のネットワークデバイス群１０４ａの一又は複数、及び／又は第２のネットワークデバイス群１０４ｂの一又は複数は、それぞれの通信装置間の有線又は無線の二地点間接続によるなどして、第３のネットワークデバイス（群）の論理アドレスを必要とせずに、一又は複数の第３のネットワークデバイス１０４ｃと通信するように構成される。第１のネットワークデバイス（群）又は第２のネットワークデバイス（群）は、それらに対応する物理的位置（群）を、第１のネットワークデバイス（群）又は第２のネットワークデバイス（群）と既知の空間関係を有する第３のネットワークデバイス（群）に通信する。第２のネットワークデバイス（群）が第１のネットワークデバイスの物理的位置（群）を受け取る一実施例では、第２のネットワークデバイス（群）は、代わりに、第１のネットワークデバイスの物理的位置（群）を、第１のネットワークデバイス（群）と既知の空間関係を有する第３のネットワークデバイス（群）に通信する。
【００２８】
第３のネットワークデバイス（群）１０４ｃは、第１のネットワークデバイス（群）１０４ａ又は第２のネットワークデバイス（群）１０４ｂの物理的位置（群）、並びに第１のネットワークデバイス（群）又は第２のネットワークデバイス（群）と第３のネットワークデバイス（群）との既知の空間関係に基づいて、それらに対応する物理的位置（群）を（部分的に又は完全に）導出して格納するように構成される。第３のネットワークデバイス（群）は、次いで、第３のヘッドエンド１０６ｃからそれらの完全な物理的位置（群）及び割り当てられた論理アドレス群を受け取る。前述と同様に、一実施例では、第３のヘッドエンドが、ストレージ１１４ｃ内のそれらの物理的位置（群）を使用して、第３のネットワークデバイスをポールする。第３のネットワークデバイス（群）は、第３のヘッドエンド由来の物理的位置（群）が、導出されたそれらの物理的位置（群）と一致する場合に、第３のヘッドエンドからのポールリクエストに応答する。これにより、第３のヘッドエンドは、第３のネットワークデバイス（群）に、それらに対応する論理アドレス（群）を、通信する。第３のネットワークデバイス（群）は、第３のヘッドエンドから受け取ったそれらに対応する論理アドレス（群）（及び場合によってはそれらの物理的位置（群））を記録又は他の方法で格納し、それにより第３のネットワークサブシステム１０２ｃ内部での通信を行うように構成される。
【００２９】
一実施例では、ネットワークサブシステム群１０２の外部に位置するが、一又は複数のネットワークサブシステムのネットワークデバイス１０４の通信装置と通信するように構成されている一又は複数の遠隔デバイス１１２に、同様のプロセスが適用される。これに関して、ネットワークサブシステム群の一又は複数の一又は複数のネットワークデバイス、例えば一又は複数の第３のネットワークデバイス１０４ｃは、それぞれの通信装置間の有線又は無線の二地点間接続によるなどして、遠隔装置（群）の論理アドレスを必要とせずに、一又は複数の遠隔装置と通信するように構成される。この実施例では、第３のネットワークデバイス（群）は、それらに対応する物理的位置（群）を、第３のネットワークデバイス（群）と既知の空間関係を有する遠隔装置（群）に通信する。    
【００３０】
遠隔装置（群）１１２は、第３のネットワークデバイス（群）１０４ｃの物理的位置（群）、及び第３のネットワークデバイス（群）と遠隔装置（群）の既知の空間関係に基づいて、それらに対応する物理的位置（群）を（部分的に又は完全に）導出して格納するように構成される。遠隔装置（群）は、適切なサブシステム１０２内部での通信のために論理アドレスを必要としないが、とはいえ、それらの物理的位置（群）を認識していることが望ましい。このように、遠隔装置（群）は、それらに対応する、導出された物理的位置（群）を、記録又は他の方法で格納することができる。
【００３１】
上述のように、ネットワークデバイス１０４は、それに対応する物理的位置を、別のサブシステム１０２内の別のネットワークデバイスの物理的位置と、対応する他のネットワークデバイスとの既知の空間関係とに基づいて、少なくとも物理的に導出するように構成される。同様に、遠隔装置１１２は、それに対応する物理的位置を、ネットワークデバイスの物理的位置と、対応するネットワークデバイスとの既知の空間関係とに基づいて、少なくとも物理的に導出するように構成される。ネットワークデバイス／遠隔装置が、ネットワークデバイス／遠隔装置と既知の空間関係を有する複数のネットワークデバイスの物理的位置を受け取ることができることを理解されたい。このような場合、ネットワークデバイス／遠隔装置は、それに対応する物理的位置を、対応する複数のネットワークデバイスの物理的位置と、対応する複数のネットワークデバイスとの既知の空間関係とに基づいて、少なくとも部分的に導出するように構成される。
【００３２】
上記に見ることができるように、ネットワークサブシステム１０２のネットワークデバイス１０４及び／又は遠隔装置１１２は、第１のネットワークデバイス１０４ａで始まる階層内に位置確認及び又はアドレス指定される。次いで、ルートの第１のネットワークデバイスより下に位置する第２のレベルのネットワークデバイス／遠隔装置（例えば、第２のネットワークデバイス１０４ｂ）が位置確認及び／又はアドレス指定される。次に、第２のレベルのネットワークデバイスより下に位置する第３のレベルのネットワークデバイス／遠隔装置（例えば、第３のネットワークデバイス１０４ｃ）が位置確認及び／又はアドレス指定される。その後、第３のレベルのネットワークデバイスより下に位置する第４のレベルのネットワークデバイス／遠隔装置（例えば、遠隔装置）が位置確認及び／又はアドレス指定される。これが順次続けられる。          
【００３３】
本発明の例示的実装態様は、様々な用途に使用される可能性を有し、例えば航空宇宙、船舶、及び自動車の分野を含む特に輸送産業に用途を見出すことができる。図２は、客室全体に複数の客室用シート２０２を含む航空機の客室２００の一部を示している。航空機は客室サービスシステム２０４も含んでおり、一実施形態ではこれは図１のシステム１００に相当する。客室サービスシステムは、ネットワークサブシステムの任意の数の異なる構成をとる複数の通信装置を含むことができ、一又は複数の遠隔装置を有しても、有さなくてもよい。図示のように、例えば、客室サービスシステムは、任意の数のピーシーユー（ＰＣＵ）２０６及び旅客サービスユニット（ＰＳＵ）２０８を含むことができる。一実施例では、ＰＣＵは、それぞれの客室用シートのいずれか（例えば、アームレスト、背もたれ）に設置され、ＰＳＵはそれぞれの旅客用シート又はシート列の上方に設置される。一実施例では、ＰＳＵは、読書灯、個別の空気吹き出し口、客室乗務員呼び出しライト、及び（適切な回路の制御下にある）非常用酸素からなる個別のセットを含む。
【００３４】
さらには、図示のように、客室サービスシステム２０４は、任意の数の機内娯楽システム２１０（シート電子ボックス）を含み、一実施形態では、このシステム２１０はそれぞれの客室用シート２０２又はシート列の下方に設置される。客室サービスシステムは、客室全体の照明を提供するように構成されたライト２１２を含むことができる。客室サービスシステムは、さらに、ライフベストに組み込むことができるＲＦＩＤタグ２１４のような通信装置を含むことができる。図示のように、このようなタグは、それぞれのライフベストに組み込むことができ、ライフベストはそれぞれのシートに対して（例えば、シートの下に）組み込むことができる。客室サービスシステムは、さらに、ヘッドエンド２１６及びストレージ２１８を含み、これらと共に、それぞれのネットワークサブシステムにおける客室サービスシステムの通信装置が構成される。図２にはそれらのうちの三組が示されている。
【００３５】
上述のように、客室サービスシステム２０４は、ＰＣＵ２０６、ＰＳＵ２０８（例えば、読書灯、個別の空気吹き出し口、客室乗務員呼び出しライトを含む）、機内娯楽システム２１０、客室灯２１２、ＲＦＩＤタグ２１４などの通信装置を含むことができる。上述のように、このような通信装置の物理的位置は、直交するＸ、Ｙ座標（２Ｄ）の観点から、又は直交するＸ、Ｙ、Ｚ座標（３Ｄ）の観点から記述される。航空機という特定の状況における一実施例では、これらの座標は、局線、突合せ線、及び水線と呼ばれる。この実施例では、局線はＸ軸であり、胴体の機首の前のいずれかから始めて、航空機の後部に向かって正の値をとる。突合せ線は航空機のＹ軸であり、航空機の左翼に沿って正の値をとる。水線は航空機のＺ軸であり、上方に向かって値を増す。
【００３６】
客室サービスシステム２０４の種々の通信装置間には既知の空間関係が存在する。一実施例では、これらの空間関係は、航空機の仕様及び設計の間に画定される。航空機のような任意の数の旅客ビークルの内部設計は、無数の基準及び規則の順守を必要とする。例えば、米国では、連邦航空局（ＦＡＡ）により、民間航空会社には、ドアの数、ドアとシート２０２又は他の目標物との距離、及び通路の幅に関する規制が課されている。加えて、旅客ビークルの顧客又はユーザは、異なるクラスのシート配置におけるシートと他の目標物との距離に関し、自身の要件を提出することができる。一実施例では、種々の通信装置間の空間関係は、適切な内部構成モデル化システムを用いて画定することができる。
【００３７】
一実施例では、客室サービスシステム２０４は、ＰＳＵ２０８（例えば、第１のネットワークデバイス１０４ａ）を有する第１のネットワークサブシステム２２０ａ、ＰＣＵ２０６（例えば、第２のネットワークデバイス１０４ｂ）を有する第２のネットワークサブシステム２２０ｂ、及び機内娯楽システム２１０（例えば、第３のネットワークデバイス１０４ｃ）を有する第３のネットワークサブシステム２２０ｃといった、複数のネットワークサブシステム２２０を含むように構成される。第１、第２、及び第３のネットワークサブシステムは、さらに、第１のヘッドエンド２１６ａとストレージ２１８ａ、第２のヘッドエンド２１６ｂとストレージ２１８ｂ、及び第３のヘッドエンド２１６ｃとストレージ２１８ｃのうちの対応の一つを含むことができる。さらにこの実施例では、ＲＦＩＤタグ２１４は遠隔装置（例えば、デバイス１１２）として扱われる。
【００３８】
図示のように、ＰＳＵ２０８及び第１のヘッドエンド２１６ａは、ネットワークバス２２２及びトークンライン２２４を含むネットワークにより接続される。一実施例では、ＰＳＵはトークンラインを用いてアドレス指定される。これに関して、第１のヘッドエンドは、第１の有線のＰＳＵにトークンを渡し、その論理アドレスを構成することができる。第１のＰＳＵがアドレス指定された後、第１のＰＳＵはトークンを次のＰＳＵに渡すことができ、この時点で第１のヘッドエンドはその論理アドレスを構成する。これが第１のネットワークサブシステム２２０ａのＰＳＵのすべてについて続けられた後に、第１のヘッドエンド及びＰＳＵ群はそれらの論理アドレス群を使用して互いに通信可能となる。この時点でヘッドエンドは、ＰＳＵ群に、それらに対応する物理的位置群も渡す。
【００３９】
第１のネットワークサブシステム２２０ａのＰＳＵ２０８群の一又は複数は、第２のネットワークサブシステム２２０ｂの一又は複数のＰＣＵ２０６と通信するように構成される。一実施例では、これは、可視光通信２２６のような無線の二地点間接続により行われる。この接続により、ＰＳＵ（群）は、それらに対応する物理的位置（群）を、ＰＳＵ（群）と既知の空間関係を有するＰＣＵ（群）に通信する。ＰＣＵ（群）は、ＰＳＵ（群）の物理的位置（群）、及びＰＳＵ（群）とＰＣＵ（群）との既知の空間関係に基づいて、それらに対応する（部分的な又は完全な）物理的位置（群）を少なくとも部分的に導出して格納するように構成される。ＰＣＵ（群）は、次いで、それらの完全な物理的位置（群）と割り当てられた論理アドレス群とを（ストレージ２１８ｂ内の）第２のヘッドエンド２１６ｂから、ＰＣＵ（群）の適切なポーリングによるなどして受け取る。ＰＣＵ（群）は、第２のヘッドエンドから受け取ったそれらに対応する論理アドレス（群）を記録又は他の方法で格納し、それにより第２のネットワークサブシステム２２０ｂ内部での通信を行うように構成される。
【００４０】
さらに、図示のように、ＰＣＵ群２０６の一又は複数は、一又は複数の機内娯楽システム２１０と通信するように構成される。これは、適切な配線２２８、ケーブル、バスなどといった有線の二地点間接続により達成される。ＰＣＵ（群）は、それらに対応する物理的位置（群）を、ＰＣＵ（群）と既知の空間関係を有する機内娯楽システム（群）に通信する。機内娯楽システム（群）は、ＰＣＵ（群）の物理的位置（群）、及びＰＣＵ（群）と機内娯楽システム（群）との既知の空間関係に基づいて、それらに対応する物理的位置（群）を（部分的に又は完全に）導出して格納するように構成される。機内娯楽システム（群）は、次いで、それらの完全な物理的位置（群）と割り当てられた論理アドレス群とを（ストレージ２１８ｃ内の）第３のヘッドエンド２１６ｃから、機内娯楽システム（群）の適切なポーリングによるなどして受け取る。機内娯楽システム（群）は、第３のヘッドエンドから受け取ったそれらに対応する論理アドレス（群）を記録又は他の方法で格納し、それにより第３のネットワークサブシステム２２０ｃ内部での通信を行うように構成される。
【００４１】
一実施例では、一又は複数の機内娯楽システム群２１０は、一又は複数のＲＦＩＤタグ２１４と通信するように構成される。これは、近距離無線通信２３０のような無線による二地点間接続により達成される。機内娯楽システム（群）は、それらに対応する物理的位置（群）を、機内娯楽システム（群）と既知の空間関係を有するＲＦＩＤタグ（群）に通信する。ＲＦＩＤタグ（群）は、機内娯楽システム（群）の物理的位置（群）、及び機内娯楽システム（群）とＲＦＩＤタグ（群）との既知の空間関係に基づいて、それらに対応する物理的位置（群）を（部分的に又は完全に）導出するように構成される。対応のライフベスト（群）の設置位置を追跡するためなどに、ＲＦＩＤタグ（群）がそれらに対応する位置（群）を認知することが望ましい。このように、ＲＦＩＤタグ（群）は、それぞれに対応する、導出された物理的位置（群）を、記録又は他の方法で格納することができる。
【００４２】
図３は、複数のネットワークサブシステム３００を含む客室サービスシステム２０４の別の例示的構成を示している。この実施例では、客室サービスシステムは、全般客室灯２１２を有する第１のネットワークサブシステム３０２ａ、ＰＳＵ群２０８の読書灯及び酸素配備回路のうちの対応の一方を有する第２及び第３のネットワークサブシステム３０２ｂ、３０２ｃ、ＰＣＵ群２０６を有する第４のネットワークサブシステム３０２ｄ、並びに機内娯楽システム２１０を有する第５のネットワークサブシステム３０２ｅといった複数のネットワークサブシステム３０２を含む。第１、第２、第３、第４、及び第５のネットワークサブシステムは、さらに、第１のヘッドエンド３０４ａとストレージ３０６ａ、第２のヘッドエンド３０４ｂとストレージ３０６ｂ、第３のヘッドエンド３０４ｃとストレージ３０６ｃ、第４のヘッドエンド３０４ｄとストレージ３０６ｄ、及び第５のヘッドエンド３０４ｅとストレージ３０６ｅのうちの対応の一つを含む。上述と同様に、ＲＦＩＤタグ２１４は遠隔装置として扱われる。
【００４３】
図示のように、全般客室灯２１２及び第１のヘッドエンド３０４ａは、光ネットワークバス３０８及びトークンライン３１０を含むネットワークにより接続される。一実施例では、全般客室灯はトークンラインを用いてアドレス指定される。これに関して、第１のヘッドエンドは、第１の光学的に配線された全般客室灯ユニットにトークンを渡し、その論理アドレスを構成することができる。第１の全般客室灯ユニットがアドレス指定された後、第１の全般客室灯ユニットはトークンを次の全般客室灯ユニットに渡すことができ、この時点で第１のヘッドエンドはその論理アドレスを構成する。これが第１のネットワークサブシステム３０２ａの全般客室灯ユニットのすべてについて続けられた後に、第１のヘッドエンド及び全般客室灯群はそれらの論理アドレス群を使用して互いに通信可能となる。この時点でヘッドエンドは、全般客室灯群に、それらに対応する物理的位置群も渡す。
【００４４】
第１のネットワークサブシステム３０２ａの全般客室灯ユニット群２１２の一又は複数は、第２のネットワークサブシステム３０２ｂの一又は複数の読書灯（ＰＳＵ群２０８の）、及び第３のネットワークサブシステム３０２ｃの一又は複数の酸素配備回路と通信するように構成される。一実施例では、これは、可視光通信３１２のような無線の二地点間接続により行われる。このような接続を介して、全般客室灯ユニット（群）は、それらに対応する物理的位置（群）を、全般客室灯ユニット（群）と既知の空間関係を有する読書灯（群）及び酸素配備回路に通信することができる。読書灯ユニット（群）及び酸素配備回路は、全般客室灯ユニット（群）の物理的位置（群）、並びに全般客室灯ユニット（群）と読書灯ユニット（群）及び酸素配備回路のうちの対応の一つとの既知の空間関係に基づいて、それらに対応する（部分的な又は完全な）物理的位置（群）を、少なくとも部分的に導出して格納するように構成される。読書灯（群）及び酸素配備回路は、次いで、それらの完全な物理的位置（群）及び割り当てられた論理アドレス群を、（ストレージ３０６ｂ内の）第２のヘッドエンド３０４ｂ、及び（ストレージ３０６ｃ内の）第３のヘッドエンド３０４ｃのうちの対応の一方から、上述したものと同様の適切なポーリングによるなどして受け取る。読書灯ユニット（群）及び酸素配備回路は、それらに対応する論理アドレス（群）を、第２のヘッドエンド及び第３のヘッドエンドのうちの対応する一方から記録又は他の方法で格納することができ、それにより第２のネットワークサブシステム３０２ｂ及び第３のネットワークサブシステム３０２ｃのうちの対応する一つの内部で通信するように構成される。
【００４５】
第２のネットワークサブシステム３０２ｂの（ＰＳＵ群２０８の）読書灯ユニット（群）の一又は複数は、第４のネットワークサブシステム３０２ｄの一又は複数のＰＣＵ２０６と通信するように構成される。一実施例では、これは、可視光通信３１４のような無線の二地点間接続により行われる。この接続により、読書灯ユニット（群）は、それらに対応する物理的位置（群）を、読書灯ユニット（群）と既知の空間関係を有するＰＣＵ（群）に通信する。ＰＣＵ（群）は、読書灯ユニット（群）の物理的位置（群）、及び読書灯ユニット（群）とＰＣＵ（群）との既知の空間関係に基づいて、それらに対応する（部分的な又は完全な）物理的位置（群）を少なくとも部分的に導出して格納するように構成される。ＰＣＵ（群）は、次いで、それらの完全な物理的位置（群）と割り当てられた論理アドレス群とを（ストレージ３０６ｄ内の）第４のヘッドエンド３０４ｄから、ＰＣＵ（群）の適切なポーリングによるなどして受け取る。ＰＣＵ（群）は、第４のヘッドエンドから受け取ったそれらに対応する論理アドレス（群）を記録又は他の方法で格納し、それにより第４のネットワークサブシステム３０２ｄ内部での通信を行うように構成される。
【００４６】
図２の実施例と同様に、図３の実施例では、ＰＣＵ群２０６の一又は複数は、一又は複数の機内娯楽システム２１０と、適切な配線２２８、ケーブル、バスなどによるなどして通信するように構成される。ＰＣＵ（群）は、それらに対応する物理的位置（群）を機内娯楽システム（群）に通信し、機内娯楽システム（群）は、それぞれの物理的位置（群）及びＰＣＵ（群）と機内娯楽システム（群）との既知の空間関係に基づいて、それらに対応する物理的位置（群）を（部分的に又は完全に）導出して格納する。機内娯楽システム（群）は、次いで、それらの完全な物理的位置（群）と割り当てられた論理アドレス群とを（ストレージ３０６ｅ内の）第５のヘッドエンド３０４ｅから、適切なポーリングによるなどして受け取る。機内娯楽システム（群）は、第５のヘッドエンドから受け取ったそれらに対応する論理アドレス（群）を記録又は他の方法で格納し、それにより第５のネットワークサブシステム３０２ｅ内部での通信を行うように構成される。
【００４７】
図２の実施例と同様に、図３の実施例では、一又は複数の機内娯楽システム２１０は、一又は複数のＲＦＩＤタグ２１４と、近距離無線通信２３０によるなどして通信するように構成される。機内娯楽システム（群）は、それらに対応する物理的位置（群）をＲＦＩＤタグ（群）に通信し、ＲＦＩＤタグ（群）は、それぞれの物理的位置（群）及び機内娯楽システム（群）とＲＦＩＤタグ（群）との既知の空間関係に基づいて、それらに対応する物理的位置（群）を（部分的に又は完全に）導出して格納する。ここでも、これによりＲＦＩＤタグ（群）がそれらの物理的位置（群）を認知することができる。
【００４８】
図４は、一又は複数の実装態様によるシステム１００内部の通信方法４００の種々の工程を示している。上述のように、システムは第１のネットワークサブシステム１０２ａを含み、第１のネットワークサブシステムは、同ネットワークサブシステム内部での物理的位置及び割り当てられた論理アドレスが判明している第１のネットワークデバイス１０４ａを含む。システムは第２のネットワークサブシステム１０２ｂを含み、第２のネットワークサブシステムは、最初は同ネットワークサブシステム内部での物理的位置及び割り当てられた論理アドレスの判明していない第２のネットワークデバイス１０４ｂを含む。第２のネットワークデバイスは、第１のネットワークデバイスとの既知の空間関係を有する。    
【００４９】
ブロック４０２に示すように、方法は、第１のネットワークデバイスが、その物理的位置を、例えば第１のネットワークデバイスと第２のネットワークデバイスとの間の二地点間接続を介して第２のネットワークデバイスに通信することを含む。ブロック４０４に示すように、方法は、第２のネットワークデバイスが、第１のネットワークデバイスの物理的位置、及び第１のネットワークデバイスと第２のネットワークデバイスとの既知の空間関係に基づいて、その物理的位置を少なくとも部分的に導出することを含む。ブロック４０６に示すように、方法は、第２のネットワークデバイスが、導出されたその物理的位置を使用して、第２のネットワークサブシステム内部でのその論理アドレスの割り当てを受け取ることを含む。
【００５０】
一実施例では、システムは、最初は第３のネットワークサブシステム内での物理的位置及び割り当てられた論理アドレスが判明していない第３のネットワークデバイス１０４ｃを含む第３のネットワークサブシステム１０２ｃをさらに含む。第３のネットワークデバイスは、第１のネットワークデバイス１０４ａ及び第２のネットワークデバイス１０４ｂの一方又は両方との既知の空間関係を有する。この実施例では、ブロック４０８に示すように、方法は、第１のネットワークデバイス又は第２のネットワークデバイスがその物理的位置を第３のネットワークデバイスに通信することを含む。方法は、ブロック４１０に示すように、第３のネットワークデバイスが、第１のネットワークデバイス又は第２のネットワークデバイスの物理的位置、並びに第１のネットワークデバイス又は第２のネットワークデバイスと第３のネットワークデバイスとの間の既知の空間関係に基づいて、その物理的位置を少なくとも部分的に導出することを含む。また方法は、ブロック４１２に示すように、第３のネットワークデバイスが、導出されたその物理的位置を使用して、第３のネットワークサブシステム内部でのその論理アドレスの割り当てを受け取ることを含む。
【００５１】
一実施例では、システムは、いずれのネットワークサブシステムにも含まれない遠隔デバイス１１２であって、最初はその物理的位置が判明していない遠隔デバイス１１２をさらに含むことができる。遠隔装置は、第１のネットワークデバイス１０４ａ及び第２のネットワークデバイス１０４ｂの一方又は両方との既知の空間関係を有する。この実施例では、ブロック４１４に示すように、方法は、第１のネットワークデバイス又は第２のネットワークデバイスがその物理的位置を遠隔装置に通信することを含む。次いで、ブロック４１６に示すように、方法は、遠隔装置が、第１のネットワークデバイス又は第２のネットワークデバイスの物理的位置、並びに第１のネットワークデバイス又は第２のネットワークデバイスと遠隔装置との既知の空間関係に基づいて、その物理的位置を少なくとも部分的に導出して格納することを含む。
【００５２】
本発明の例示的実装態様によれば、システム１００と、ネットワークデバイス群１０４、ヘッドエンド群１０６、ネットワーク群１０８、アクセスポイント群１１０、及びストレージ１１４を含むネットワークサブシステム群１０２とは、遠隔装置１１２を含めて、様々な手段によって実施されうる。システム、サブシステム及びそれぞれの要素を実施するための手段は、単独の、或いは、コンピュータで読込可能な記憶媒体からの一又は複数のコンピュータプログラムコード命令、プログラム命令又は実行可能なコンピュータで読込可能なプログラムコード命令の指示下にあるハードウェアを備えることができる。一実施例では、本明細書において図示及び記載されるシステム、サブシステム、及びそれぞれの要素として機能するか、又はそうでない場合にそれらを実施するように構成された一又は複数の装置が提供される。複数の装置を含む実施例では、それぞれの装置は、有線又は無線ネットワークなどを介して直接的に又は間接的になど、任意の数の異なる方法で、互いに接続され、又はそうでない場合は通信することができる。
【００５３】
概して、本発明の例示的実装態様の装置は、一又は複数の固定又は持ち運び可能な電子装置を備える、含む、又はそのような電子装置内において実施されうる。適する電子機器の例は、スマートフォン、タブレット型コンピュータ、ノート型コンピュータ、デスクトップコンピュータ、ワークステーションコンピュータ、サーバコンピュータなどを含む。装置は、メモリ（例えば、記憶装置）に接続されたプロセッサ（例えば、プロセッサユニット）などの任意の数のコンポーネントそれぞれの一又は複数を備えてもよい。    
【００５４】
プロセッサは、概して、例えば、データ、コンピュータで読込可能なプログラムコード、命令（ソフトウェア、ファームウェアなどの、概して「コンピュータプログラム」）などの情報、及び／又は他の適する電子情報を処理できる任意のハードウェアである。具体的には、例えば、プロセッサは、プロセッサに搭載された状態で記憶された又はそうでない場合はメモリ（同じ又は別の装置の）に記憶された、コンピュータプログラムを実行するように構成することができる。プロセッサは、特定の実装態様に応じて、任意の数のプロセッサ、マルチプロセッサコア、又は他の何らかの種類のプロセッサとしてもよい。さらに、プロセッサは、単一のチップ上に主要プロセッサと共に一又は複数の二次プロセッサが存在する任意の数の異種プロセッサシステムを使用して実施されてもよい。別の実施例としてプロセッサは同一形態の複数のプロセッサを含む対称型マルチプロセッサシステムであってもよい。さらに別の実施例では、プロセッサは、一又は複数の特定用途向け集積回路（ＡＳＩＣ）、フィールドプログラマブルゲートアレイ（ＦＰＧＡ）などとして実施される、又はそうでない場合はそれらを含むことができる。ゆえに、プロセッサは一又は複数の機能を実行するためのコンピュータプログラムを実行できるが、種々の実施例のプロセッサは、コンピュータプログラムの支援がなくとも一又は複数の機能を実行することができる。                  
【００５５】
メモリは、概して、一時的及び／又は恒久的に、データ、コンピュータプログラム及び／又は他の適切な情報などの情報を記憶できる任意のハードウエア部分である。メモリは、揮発性及び／又は不揮発性メモリを含み、固定でも取り外し可能でもよい。適切なメモリの例は、ランダムアクセスメモリ（ＲＡＭ）、読出し専用メモリ（ＲＯＭ）、ハードドライブ、フラッシュメモリ、サムドライブ、取り外し可能なコンピュータディスケット、光ディスク、磁気テープ又はそれらの何らかの組み合わせを含む。光ディスクには、コンパクトディスク−リードオンリーメモリ（ＣＤ−ＲＯＭ）、コンパクトディスク−リード／ライト（ＣＤ−Ｒ／Ｗ）、及びＤＶＤなどが含まれる。種々の例では、メモリはコンピュータで読込可能な記憶媒体と呼ばれ、情報を記憶できる永続的装置として、一の場所から別の場所へ情報を伝送できる電子的な一時的な信号などのコンピュータで読込可能な伝送媒体と区別することができる。本明細書に記載されるコンピュータで読込可能な媒体は、概して、コンピュータで読込可能な記憶媒体又はコンピュータで読込可能な伝送媒体を指している。
【００５６】
メモリに加えて、プロセッサは、情報を表示、伝送、及び／又は受信するための一又は複数のインターフェースに接続することもできる。インターフェースは、通信インターフェース（たとえば通信ユニット）及び／又は一又は複数のユーザインターフェースを含むことができる。通信インターフェースは、他の装置やネットワークなどへ及び／又は他の装置やネットワークなどから、情報を伝送及び／又は受信するように構成することができる。通信インターフェースは、物理的（有線）及び／又は無線通信リンクにより情報を伝送及び／又は受信するように構成することができる。適切な通信インターフェースの例は、ネットワークインターフェースコントローラ（ＮＩＣ）、無線ＮＩＣ（ＷＮＩＣ）などを含む。  
【００５７】
ユーザインターフェースは、ディスプレイ及び／又は一又は複数のユーザ入力インターフェース（例えば、入出力ユニット）を含むことができる。ディスプレイは、適切例として液晶ディスプレイ（ＬＣＤ）、発光ダイオードディスプレイ（ＬＥＤ）、プラズマディスプレイパネル（ＰＤＰ）などを含む、ユーザに情報を提示又は他の方法で表示するように構成することができる。ユーザ入力インターフェースは、有線又は無線とすることができ、処理、記憶及び／又は表示用などの装置内にユーザから情報を受信するように構成することができる。ユーザ入力インターフェースの適切な例は、マイク、画像又はビデオキャプチャー装置、キーボード又はキーパッド、ジョイスティック、タッチセンシティブサーフェス（タッチスクリーンとは別個の、又はタッチスクリーンに統合されたもの）、生物測定センサーなどを含む。ユーザインターフェースは、プリンタやスキャナなどの周辺機器と通信する一又は複数のインターフェースをさらに含むことができる。
【００５８】
上述のように、プログラムコード命令は、本明細書に記載されるシステム、サブシステム及びそれらに対応の要素の機能を実施するために、メモリに記憶されてプロセッサにより実行される。理解されるように、任意の適切なプログラムコード命令は、コンピュータで読込可能な記憶媒体からコンピュータ又はその他のプログラマブルな装置にローディングされ、ここに特定される機能を実施する手段となるように特定のマシンが制作される。また、これらのプログラムコード命令は、コンピュータで読み取り可能な記憶媒体に記憶することができ、この記憶媒体は、コンピュータ、プロセッサ、又はその他のプログラマブルな装置を特定の方式で機能させることにより特定のマシン又は特定の製造品を生成することができる。コンピュータで読込可能な記憶媒体に記憶された命令は、製造品を生産することができ、この製造品は本明細書に記載される機能を実施するための手段となる。プログラムコード命令をコンピュータで読込可能な記憶媒体から読み出してコンピュータ、プロセッサ、又はその他のプログラマブルな装置に読み込むことにより、コンピュータ、プロセッサ、又はその他のプログラマブルな装置上で又はそれらにより実行される工程を実行するコンピュータ、プロセッサ、又はその他のプログラム可能装置を構成することができる。    
【００５９】
一の命令が一度に読み出され、ローディングされ且つ実行されるように、プログラムコード命令の読み出し、ローディング及び実行を連続して行うことができる。いくつかの例示的実装態様では、複数の命令をまとめて読み出し、ローディングし及び／又は実行するために、読み出し、ローディング、及び／又は実行を並行して行なうことができる。コンピュータ、プロセッサ、又はその他のプログラマブルな装置により実行される命令が本明細書に記載される機能を実施するための工程を提供するように、プログラムコード命令の実行により、コンピュータで実施されるプロセスが生成される。
【００６０】
プロセッサによる命令の実行、又はコンピュータで読込可能な記憶媒体での命令の記憶により、特定の機能を実行するための工程の組み合わせがサポートされる。さらに、一又は複数の機能、及び機能の組み合わせは、特殊目的ハードウェアに基づくコンピュータシステム及び／又は特定の機能を実行するプロセッサ、或いは特殊目的ハードウェアとプログラムコード命令との組み合わせによって実施することができることも理解されたい。    
【００６１】
上記に説明したように、本発明の実装態様は、可能性のある様々な分野、特に運送業界において、使途を見出すことができる。したがって、図５及び図６に示されるように、例示的実装態様は、図５に示す航空機の製造及び保守方法５００、並びに図６に示す航空機６００の観点から使用することができる。製造前の段階では、例示的な方法は、航空機の仕様及び設計５０２と、材料調達５０４とを含みうる。開示されるシステム及び方法は、航空機に設置されるネットワークサブシステムの設計に使用されうる。製造段階では、航空機のコンポーネント及びサブアセンブリの製造５０６と、システムインテグレーション５０８とが行われる。その後、航空機は認可及び納品５１０を経て運航５１２される。顧客により運航される間に、航空機は定期的な整備及び保守５１４（改造、再構成、改修なども含みうる）を受ける。開示されるシステム及び方法は、航空機の製造及び／又は保守の間にも使用することもでき、且つ製造される航空機上で使用することもできる。
【００６２】
方法５００のプロセスの各々は、システムインテグレーター、第三者、及び／又はオペレーター（例えば顧客）によって実施又は実行されうる。本明細書の目的のために、システムインテグレーターは、限定しないが、任意の数の航空機製造者、及び主要システムの下請業者を含むことができ、第三者は、限定しないが、任意の数のベンダー、下請業者、及び供給業者を含むことができ、オペレーターは、航空会社、リース会社、軍事団体、サービス機関などでありうる。
【００６３】
図６に示すように、  例示的方法５００によって製造された航空機６００は、複数のシステム６０４及び内装６０６を有する機体６０２を含むことができる。高レベルのシステムの例には、推進システム６０８、電気システム６１０、油圧システム６１２、及び環境システム６１４のうちの一又は複数が含まれる。前述のネットワークサブシステムのいずれかを含め、任意の数の他のシステムが含まれてもよい。航空宇宙産業の例を示したが、本発明の原理は、自動車産業などの他の産業にも適用しうる。
【００６４】
上記に示唆したように、本明細書に具現化されたシステム及び方法は、製造及び保守方法５００の一又は複数の任意の段階で採用することができる。例えば、製造プロセス５０６に対応するコンポーネント又はサブアセンブリは、航空機６００の運航中に製造されるコンポーネント又はサブアセンブリに類似の方法で作製又は製造される。また、一又は複数のシステムの実装態様、装置の実装態様、方法の実装態様、或いはそれらの組み合わせは、例えば、航空機の組立てを実質的に効率化するか、又は航空機のコストを削減することにより、製造段階５０６及び５０８の間に利用することができる。同様に、装置の実装態様、方法の実装態様、或いはそれらの組み合わせのうちの一又は複数を、航空機の運航中に、例えば限定しないが、整備及び保守５１４に利用することができる。
【００６５】
さらに、本明細書は、以下の条項による実施形態を含む。
【００６６】
条項１    通信装置がネットワークサブシステムのネットワークデバイスの物理的位置を受け取ることであって、通信装置は、ネットワークサブシステムの外側にあり、ネットワークデバイスと既知の空間関係を有し、第２のネットワークサブシステムの第２のネットワークデバイスであるか、又はいずれのネットワークサブシステムにも含まれない遠隔装置である、受け取ることと、  
通信装置が、ネットワークデバイスの物理的位置、及び通信装置とネットワークデバイスとの既知の空間関係に基づいて、その物理的位置を少なくとも部分的に導出することと、
通信装置が、導出されたその物理的位置を格納することと
を含む方法。
【００６７】
条項２    通信装置は、通信装置とネットワークデバイスとの二地点間接続を介してネットワークデバイスの物理的位置を受け取る、条項１に記載の方法。
【００６８】
条項３    通信装置は、最初は論理アドレスの判明していない第２のネットワークサブシステムの第２のネットワークデバイスであり、方法がさらに、
通信装置が、導出されたその物理的位置を使用して、第２のネットワークサブシステム内部でのその論理アドレスの割り当てを受け取り、それによりその論理アドレスを使用して第２のネットワークサブシステム内部で通信可能となること
を含む、条項１に記載の方法。
【００６９】
条項４    通信装置が第２のネットワークサブシステム内部でのその論理アドレスの割り当てを受け取ることが、
通信装置が、第２のネットワークサブシステムのネットワークデバイスの物理的位置を含むヘッドエンドからのポールリクエストを受け取ることと、
通信装置が、ポールリクエスト内の物理的位置が、導出されたその物理的位置と一致する場合に、ポールリクエストに応答することと
を含む、条項３に記載の方法。
【００７０】
条項５    さらに、
通信装置が、導出されたその物理的位置を第３のネットワークサブシステムの第３のネットワークデバイスなどか、又はいずれのネットワークサブシステムにも含まれない別の遠隔装置に通信すること
を含む、条項１に記載の方法。
【００７１】
条項６    プロセッサと、コンピュータで読込可能なプログラムコード部分を格納するメモリとを備える通信装置であって、コンピュータで読込可能なプログラムコード部分は、プロセッサによって実行されると、通信装置に、少なくとも：
ネットワークサブシステムのネットワークデバイスの物理的位置を受け取らせ、通信装置は、ネットワークサブシステムの外側にあり、ネットワークデバイスと既知の空間関係を有し、第２のネットワークサブシステム（１０２ｂ）の第２のネットワークデバイス（１０４ｂ）であるか、又はいずれのネットワークサブシステムにも含まれない遠隔装置であり；  
ネットワークデバイスの物理的位置、及び通信装置とネットワークデバイスとの既知の空間関係に基づいて、その物理的位置を少なくとも部分的に導出させ；且つ
導出されたその物理的位置を格納させる、
通信装置。
【００７２】
条項７    通信装置とネットワークデバイスとの二地点間接続を介してネットワークデバイスの物理的位置を受け取る、条項６に記載の通信装置。
【００７３】
条項８    最初は論理アドレスが判明していない第２のネットワークサブシステム（１０２ｂ）の第２のネットワークデバイス（１０４ｂ）である条項６に記載の通信装置であって、メモリが、コンピュータで読込可能なプログラムコード部分をさらに格納しており、コンピュータで読込可能なプログラムコード部分は、プロセッサによって実行されると、通信装置に、さらに：
導出されたその物理的位置を使用して、第２のネットワークサブシステム（１０２ｂ）内部のその論理アドレスの割り当てを受け取らせ、それにより通信装置がその論理アドレスを使用して第２のネットワークサブシステム（１０２ｂ）内部で通信可能となる、
通信装置。
【００７４】
条項９    通信装置に第２のネットワークサブシステム（１０２ｂ）内でのその論理アドレスの割り当てを受け取らせることが、
第２のネットワークサブシステム（１０２ｂ）のネットワークデバイスの物理的位置を含むヘッドエンド（１０６ｂ）からポールリクエストを受け取らせることと、
ポールリクエスト内の物理的位置が、導出されたその物理的位置と一致する場合に、ポールリクエストに応答させることと
を含む、条項８に記載の通信装置。
【００７５】
条項１０    メモリがさらに、コンピュータで読込可能なプログラムコード部分をさらに格納しており、コンピュータで読込可能なプログラムコード部分は、プロセッサによって実行されると、通信装置に、さらに：
導出されたその物理的位置を第３のネットワークサブシステム（１０２ｃ）の第３のネットワークデバイス（１０４ｃ）などか、又はいずれのネットワークサブシステムにも含まれない別の遠隔装置に通信させる、
条項６に記載の通信装置。
【００７６】
これらの開示内容に関連して、上述の説明及び添付図面に提示された教示の恩恵を有する本発明の多数の修正例及び他の実装態様が、当業者には想起されるであろう。したがって、本発明は開示した特定の実装態様に限定されるものでなく、変形及び他の実装態様は特許請求の範囲に含まれることを意図しているものと理解されたい。さらに、上述の説明及び添付図面は、要素及び／又は機能の特定の例示的組み合わせの文脈から例示的実装態様を説明しているが、特許請求の範囲から逸脱せずに、別の実装態様によって要素及び／又は機能の異なる組み合わせを提供することができる。この点で、例えば、要素及び／又は機能の、上述に明記したものとは異なる組み合わせも、特許請求の範囲の一部に提示されるように考慮される。本明細書では特定の用語を使用しているが、それらは、一般的及び説明的な意味でのみ使用されているのであって、限定を目的として使用されているのではない。
【符号の説明】
【００７７】
１００    システム
１０２    ネットワークサブシステム
１０４    ネットワークデバイス
１０６    ヘッドエンド
１０８    ネットワーク
１１０    アクセスポイント
１１２    遠隔装置
１１４    ストレージ
２００    航空機
２０２    客室用シート
２０４    客室サービスシステム
２０６    ＰＣＵ
２０８    ＰＳＵ
２１０    機内娯楽システム
２１２    客室灯
２１４    ＲＦＩＤタグ
２１６    ヘッドエンド
２１８    ストレージ
２２０    ネットワークサブシステム
２２２    ネットワークデバイス
２２４    トークンライン
２２６    可視光通信
２２８    配線
２３０    近距離無線通信
３０２    ネットワークサブシステム
３０４    ヘッドエンド
３０６    ストレージ
３０８    ネットワークデバイス
３１０    トークンライン
３１２、３１４    可視光通信
【図１】
2014132752.tif 000003
【図２】
2014132752.tif 000004
【図３】
2014132752.tif 000005
【図４】
2014132752.tif 000006
【図５】
2014132752.tif 000007
【図６】
2014132752.tif 000008
【外国語明細書】
2014132752000001.pdf
2014132752000002.pdf
2014132752000003.pdf
2014132752000004.pdf